(57)【特許請求の範囲】
【請求項１】
吸込み口と吹出し口を有した本体内に、空気を通過できる基材上に光触媒を保持し、光を照射することによって活性物質を放出する活性物質発生材と、空気の浄化手段と、吸込み口から吸い込んだ空気の少なくとも一部を吹出し口から吹出すための送風手段とを備えた空気清浄装置であって、前記活性物質発生材は、前記光触媒として第一のハロゲン含有の酸化チタンを作成し前記基材に担持し乾燥させたのちに、オキソ酸と第二のハロゲンを添着したことを特徴とする空気清浄装置。
【請求項２】
吸込み口と吹出し口を有した本体内に、空気を通過できる基材上に光触媒を保持し、光を照射することによって活性物質を放出する活性物質発生材と、空気の浄化手段と、吸込み口から吸い込んだ空気の少なくとも一部を吹出し口から吹出すための送風手段とを備えた空気清浄装置であって、前記活性物質発生材は、前記光触媒としてハロゲン含有の酸化チタンを酸性のバインダによって基材に担持したのちに、オキソ酸と追加のハロゲンを添着したことを特徴とする空気清浄装置。
【発明の詳細な説明】
【技術分野】
【０００１】
本発明は、活性物質を用いて離れた場所にある雑菌や有機物などの被処理物と反応させることができる空気清浄装置に関する。
【背景技術】
【０００２】
従来、この種の有機物の酸化分解には、酸化チタンを用いた光触媒反応が知られている。酸化チタンは、光触媒作用があることが知られており、光（紫外線）を酸化チタンに照射することにより、脱臭あるいは抗菌作用を発現させることができる。酸化チタンに紫外線を照射することによって、酸化チタン上に酸化力の高い活性物質として知られるヒドロキシルラジカルが発生し、発生したヒドロキシルラジカルが、フィルタに吸着した臭気成分や微生物を酸化反応して分解するためである。そのため、光触媒をハニカム等のフィルタ形状に加工し、紫外線を照射しながら前記フィルタに通気することにより、空気の脱臭あるいは抗菌を行うことができる。
【０００３】
例えば、従来この種の脱臭装置として、図９に示すように、吸着材１０１に光触媒１０２を練り込みハニカム状に形成したものが知られている（例えば、特許文献１参照）。
【０００４】
ハニカム孔１０３に臭気を含む空気を通風させるとともに、光触媒励起源１０４としてのランプを点灯させ、光触媒１０２を励起させて臭気の分解脱臭を行うものである。
【０００５】
また、図１０に示すように、光触媒２０１に光ファイバ２０２を通して紫外線２０３を照射し、光触媒２０１から発生する活性種２０４を気相へ拡散させ、３ｍｍ以下の間隔をあけて対峙する被処理物２０５に、所定のパターンでエッチングまたは変性する方法が知られていた（例えば、特許文献２参照）。
【先行技術文献】
【特許文献】
【０００６】
【特許文献１】特許第２５７４８４０号公報
【特許文献２】特許第４０８８４５６号公報
【発明の概要】
【発明が解決しようとする課題】
【０００７】
特許文献１に記載の従来の脱臭装置は、光触媒１０２を練り込んだハニカム形状の構造体であり、通気することによってハニカム構造体に吸着した物質に対しては作用することができる。しかしながら、ハニカム構造体に吸着しないもの、あるいは物体の表面に付着して空気中に飛散しないものに対しては効果が得られないという課題があった。これは、光触媒から発生するヒドロキシルラジカルは不安定であり、寿命が極めて短いために、ハニカム構造体からほとんど放出されず、ハニカム構造体の近傍に効果が限定されるためである。
【０００８】
特許文献２に記載の従来の方法は、光触媒から３ｍｍ以下の間隔に存在する被処理物表面を非接触酸化反応を起こすものであった。すなわち、酸化チタン上に発生するヒドロキシルラジカルは不安定であり、寿命が極めて短いために、３ｍｍ以上の距離では、非接触酸化反応を起こすことはできないという課題を有していた。
【０００９】
そこで本発明は、上記従来の課題を解決するものであり、安定で寿命が長く光触媒から気相などに放出することができる活性物質を発生させ、離れた場所にある雑菌や有機物などの被処理物と反応させることができる空気清浄装置を提供することを目的としている。
【課題を解決するための手段】
【００１０】
そして、この目的を達成するために、本発明は、吸込み口と吹出し口を有した本体内に、空気を通過できる基材上に光触媒を保持し、光を照射することによって活性物質を放出する活性物質発生材と、空気の浄化手段と、吸込み口から吸い込んだ空気の少なくとも一部を吹出し口から吹出すための送風手段とを備えた空気清浄装置であって、前記活性物質発生材は、前記光触媒として第一のハロゲン含有の酸化チタンを作成し前記基材に担持し乾燥させたのちに、オキソ酸と第二のハロゲンを添着したものであり、これにより所期の目的を達成するものである。
また、吸込み口と吹出し口を有した本体内に、空気を通過できる基材上に光触媒を保持し、光を照射することによって活性物質を放出する活性物質発生材と、空気の浄化手段と、吸込み口から吸い込んだ空気の少なくとも一部を吹出し口から吹出すための送風手段とを備えた空気清浄装置であって、前記活性物質発生材は、前記光触媒としてハロゲン含有の酸化チタンを酸性のバインダによって基材に担持したのちに、オキソ酸と追加のハロゲンを添着したものであり、これにより所期の目的を達成するものである。
【発明の効果】
【００１１】
本発明によれば、少なくともオキソ酸と光触媒を含有し、吸込み口と吹出し口を有した本体内に、空気を通過できる基材上に光触媒を保持し、光を照射することによって活性物質を放出する活性物質発生材と、空気の浄化手段と、吸込み口から吸い込んだ空気の少なくとも一部を吹出し口から吹出すための送風手段とを備えた空気清浄装置であって、前記活性物質発生材は、前記光触媒として第一のハロゲン含有の酸化チタンを作成し前記基材に担持し乾燥させたのちに、オキソ酸と第二のハロゲンを添着したことにより、安定で寿命が長く光触媒から気相などに放出することができる活性物質を発生させ、離れた場所にある雑菌や有機物などの被処理物と反応させることができる空気清浄装置を提供することができる。
また、吸込み口と吹出し口を有した本体内に、空気を通過できる基材上に光触媒を保持し、光を照射することによって活性物質を放出する活性物質発生材と、空気の浄化手段と、吸込み口から吸い込んだ空気の少なくとも一部を吹出し口から吹出すための送風手段とを備えた空気清浄装置であって、前記活性物質発生材は、前記光触媒としてハロゲン含有の酸化チタンを酸性のバインダによって基材に担持したのちに、オキソ酸と追加のハロゲンを添着したことにより、ハロゲン含有の酸化チタンを基材に均一に担持することができ、安定で寿命が長く光触媒から気相などに放出することができる活性物質を発生させ、離れた場所にある雑菌や有機物などの被処理物と反応させることができる空気清浄装置を提供することができる。
【図面の簡単な説明】
【００１２】
【図１】本発明の実施の形態１の空気清浄装置を示す概略断面図
【図２】本発明の実施の形態２の空気清浄装置を示す概略断面図
【図３】本発明の実施の形態３の空気清浄装置を示す概略断面図
【図４】本発明の実施の形態４の空気清浄装置を示す概略断面図
【図５】本発明の実施例における過酸化水素発生量を示すグラフ
【図６】本発明の実施例における有効塩素発生量を示すグラフ
【図７】本発明の実施例における過酸化水素発生量を示すグラフ
【図８】本発明の実施例における有効塩素発生量を示すグラフ
【図９】従来の脱臭装置を示す斜視図
【図１０】従来の光触媒リソグラフィー法を示す概略断面図
【発明を実施するための形態】
【００１３】
本発明の請求項１記載の空気清浄装置は、少なくともオキソ酸と光触媒を含有し、吸込み口と吹出し口を有した本体内に、空気を通過できる基材上に光触媒を保持し、光を照射することによって活性物質を放出する活性物質発生材と、空気の浄化手段と、吸込み口から吸い込んだ空気の少なくとも一部を吹出し口から吹出すための送風手段とを備えた空気清浄装置であって、前記活性物質発生材は、前記光触媒として第一のハロゲン含有の酸化チタンを作成し前記基材に担持し乾燥させたのちに、オキソ酸と第二のハロゲンを添着したことを特徴とするものである。活性物質発生材として、少なくともオキソ酸と光触媒を含有することで、光照射によって光触媒の表面に生成するヒドロキシルラジカルなどの寿命の短いラジカル成分を、寿命の長い活性酸素種などの活性物質に変換することができる。気相などの媒質中に放出された活性物質は寿命が長いため、活性物質発生材から離れた場所にある雑菌、カビ、ウイルス、アレルゲン、臭気成分、有機物などと反応し、分解あるいは活性を低下させるという効果を得ることができる。
また、請求項２記載の空気清浄装置は、吸込み口と吹出し口を有した本体内に、空気を通過できる基材上に光触媒を保持し、光を照射することによって活性物質を放出する活性物質発生材と、空気の浄化手段と、吸込み口から吸い込んだ空気の少なくとも一部を吹出し口から吹出すための送風手段とを備えた空気清浄装置であって、前記活性物質発生材は、前記光触媒としてハロゲン含有の酸化チタンを酸性のバインダによって基材に担持したのちに、オキソ酸と追加のハロゲンを添着したことにより、ハロゲン含有の酸化チタンを基材に均一に担持するもとができ、安定で寿命が長く光触媒から気相などに放出することができる活性物質を発生させ、離れた場所にある雑菌や有機物などの被処理物と反応させることができる空気清浄装置を提供することができる。
【００１５】
また、活性物質発生材がハロゲンを含有することで、光触媒の活性を向上させ、活性物質の発生を増加させることができる。また、活性物質として、次亜塩素酸、塩素などの塩素化合物を生成することができる。
【００１６】
また、光触媒にハロゲン化合物を化学結合させた後、オキソ酸を添着したことで、ハロゲンと光触媒が化学結合しヒドロキシルラジカルの発生量を増加させ、さらに発生したヒドロキシルラジカルを、表面に存在するオキソ酸の作用によって効率的に過酸化水素、次亜塩素酸、塩素などの寿命の長い活性種に変化させることができる。
【００３３】
以下、本発明の実施の形態について図面を参照しながら説明する。
【００３４】
（実施の形態１）
図１に示すように、本発明の空気清浄装置は、吸込み口１と吹出し口２を有した本体３内に、光を照射する光源４としての紫外線ランプと、少なくともオキソ酸と光触媒を含有し、光を照射することによって活性物質を放出する活性物質発生材５と、空気の浄化手段としての集塵フィルタ６と脱臭フィルタ７と、吸込み口から吸い込んだ空気の少なくとも一部を吹出し口から吹出すための送風手段としてのファン８とを備えている。
【００３５】
活性物質発生材５から発生した活性物質を含む空気は、浄化手段としての集塵フィルタ６あるいは脱臭フィルタ７に移動し、前記浄化手段に付着あるいは吸着した雑菌、カビ、ウイルス、アレルゲン、臭気成分、有機物などと反応し、分解あるいは活性を低下させるという効果を得ることができる。また、活性物質を、空気清浄装置の本体３から室内に放出し、空気中あるいは壁面に付着した雑菌、カビ、ウイルス、アレルゲン、臭気成分、有機物などと反応し、分解・抗菌あるいは活性を低下させるという効果を得ることができる。
【００３６】
光触媒としては、例えば酸化チタン、酸化タングステン、チタン酸ストロンチウム、酸化ニオブ、酸化タンタルなどが挙げられる。これらのうち、活性の強さの点から、酸化チタンが好ましい。
【００３７】
酸化チタンには、アナタース型酸化チタン、ルチル型酸化チタン、ブルッカイト型酸化チタンが挙げられ、暗所における抗菌効果が得られることに加えて、高い光触媒活性が得られることから、アナタース型酸化チタンが好ましい。本発明において「アナタース型酸化チタン」とは、粉末Ｘ線回折スペクトル測定において（使用電極：銅電極）、回折角度２θ＝２５．５度付近に回折ピークが現れる酸化チタンのことをいう。
【００３８】
酸化チタンとしては、二酸化チタンのほか、含水酸化チタン、水和酸化チタン、メタチタン酸、オルトチタン酸、水酸化チタン、酸素欠損型酸化チタン、窒素置換型酸化チタン、硫黄置換型酸化チタンなどが挙げられる。光触媒活性を有していれば結晶形については特に制限はなく、無定形、アナタース形、ルチル形、ブルッカイト形のいずれでもよい。ルチル型とアナターゼ型酸化チタンの組み合せなど、結晶形の違う成分を複合してもなんら問題はない。
【００３９】
酸化チタンは粉末状であることが多いが、チタン板などの金属表面を酸化して、酸化チタン薄膜を形成してもよい。また、ガラスなどにチタンアルコキシドなどをコーティングして、加熱処理することによってチタン薄膜を形成してもよい。チタン粉末を金属表面などに溶射して、酸化チタン膜を形成してもよい。
【００４０】
また、酸化チタンの表面にＰｔ、Ｐｄ、Ｒｈ、Ｒｕ、Ａｕ、Ａｇ、Ｃｕ、Ｆｅ、Ｎｉ等の金属を被覆して用いることも何ら限定するものではない。また、表面にＣｒやＶなどの不純物金属を含有させて光の吸収波長を拡大させた光触媒を用いることもなんら限定するものではない。
【００４１】
酸化チタンは、比表面積が２００〜３５０ｍ２／ｇの範囲が好ましく、より好ましくは２５０〜３５０ｍ２／ｇの範囲である。ここで、本発明において比表面積とは、ＢＥＴ法（窒素の吸着・脱離方式）により測定した、酸化チタンの粉末１ｇ当たりの表面積値である。比表面積が２００ｍ２／ｇ以上の場合、分解する対象物との接触面積を大きくすることができる。また、アナタース型酸化チタンを用いる場合は、比表面積が３５０ｍ２／ｇ以下であると、アモルファス状の酸化チタンを用いた場合よりも高効率な光触媒反応を行うことができる。
【００４２】
本発明において、「オキソ酸」とは、ヒドロキシル基（ＯＨ）および、オキソ基（Ｃ＝Ｏ）を有する化合物であり、例えば、リン酸、亜リン酸、硫酸、亜硫酸、炭酸、硝酸、亜硝酸、ホウ酸、ケイ酸、ヒ酸、カルボン酸、スルホン酸、スルフィン酸、クロム酸、二クロム酸、過マンガン酸や、ハロゲンオキソ酸である次亜塩素酸、亜塩素酸、塩素酸、過塩素酸、過臭素酸、ヨウ素酸、過ヨウ素酸などが挙げられる。一方、光触媒により酸化分解されないものが好ましく、リン酸、硫酸、炭酸、硝酸、ホウ酸が挙げられる。
【００４３】
オキソ酸として、例えばリン酸を使用する場合、リン酸塩、リン酸水素塩を用いて、適当な濃度の水溶液として用いることができる。また、ポリリン酸やメタリン酸などのリン酸化合物も同様に使用できる。いずれも、その構造中に複数のオキソ基を有している。
【００４４】
オキソ酸によってラジカル状態の物質が安定な化合物に変換されるメカニズムについては明らかではないが、オキソ酸のように酸素を多く含む構造が、ラジカルに配位して、より安定した活性物質へと変換されるものであると考えられる。
【００４５】
本発明において、ハロゲンの少なくとも一部が光触媒と化学結合していることが好ましく、化学結合がイオン結合である場合は、ハロゲンと酸化チタンとが強固に結合し、例えば、活性物質の発生量を向上できるという効果を得ることできる。ハロゲンとしては、フッ素、ヨウ素、臭素及び塩素が挙げられる。例えば、ハロゲンとして、フッ素を使用する場合、フッ素の含有量は、活性物質の発生量及び光照射時の抗菌性能の増強の点から、１．２５重量％〜４．０重量％であることが好ましい。フッ素含有酸化チタン（ＩＶ）におけるフッ素の含有量は、吸光光度分析法（ＪＩＳ  Ｋ  ０１０２）により求めることができる。
【００４６】
本発明において「ハロゲンの少なくとも一部が光触媒と化学結合している」とは、光触媒、例えば酸化チタンとハロゲンの少なくとも一部とが化学的に結合していることをいう。好適には担持や混合ではなく酸化チタンとハロゲンとが原子レベルで結びついている状態のことをいい、より好適には酸化チタンとハロゲンとがイオン結合していることをいう。本発明において「化学結合しているハロゲン」とは、例えば、ハロゲン含有酸化チタンに含まれるハロゲンのうち、水に溶出しにくいハロゲンのことをいう。尚、二種類以上のハロゲンを含有させる場合には、そのうちの１種類以上が化学的に結合している状態であれば効果が得られる。
【００４７】
酸化チタンと化学結合しているハロゲンの量は、酸化チタン光触媒を水中に分散させ、ｐＨ調整剤（例えば、塩酸、アンモニア水）でｐＨ＝３以下又はｐＨ＝１０以上に保持し、水中へのハロゲンの溶出量を比色滴定等により測定し、ハロゲン含有酸化チタンに含まれるハロゲンの総量から上記溶出量を差し引くことにより算出できる。
【００４８】
化学結合は、イオン結合であることが好ましい。化学結合がイオン結合である場合は、ハロゲンと酸化チタンとが強固に結合し、例えば、抗菌活性や光触媒反応の促進作用を向上できる、酸化チタンとハロゲンとのイオン結合は、光電子分光装置により分析できる。例えば、ハロゲンがフッ素である場合、ハロゲン含有酸化チタンを光電子分光分析装置で分析した際に、フッ素の１ｓ軌道（Ｆ１ｓ）のピークトップが６８３ｅＶ〜６８６ｅＶの範囲となるスペクトルを示す場合をいう。これは、フッ素とチタンとがイオン結合したフッ化チタンのピークトップの値が上記範囲内であることに由来する。
【００４９】
光触媒を励起させる光を照射するための光源は、波長３７０ｎｍから４００ｎｍに強度をもつものが好ましい。例えば光触媒として酸化チタンを用いる場合、前記波長の範囲に強い発光ピークを持つものであるほど、投入電力に対して効率的に酸化チタンの励起を行うことができる。例えば、直管型の蛍光灯型ブラックライトまたは冷陰極管を使用すると、広い範囲に強い光を照射できるため、広い範囲に光触媒を固定化し、活性物質の発生量を増やすことが容易である。光源としては前記に加えて、太陽光、殺菌灯、蛍光灯、キセノンランプなどを利用してもよい。
【００５０】
また、前記波長に強い発光ピークをもつ光源として、半導体素子を使用したものがある。例えば、発光ダイオード、半導体レーザーなどが使用できる。これらは、照射面積が小さく、光源の大きさも小さいため、小さな部分に局所的に照射するのに適している。
【００５１】
発明の活性物質発生材から発生する活性物質とは、有機物と反応して酸化させる作用、あるいは有機物の高次構造を変性させる作用をもつ酸化剤であり、例えば、活性酸素種やハロゲン酸化物などがある。
【００５２】
活性酸素種には、ヒドロキシルラジカルや、スーパーオキシドラジカル、一重項酸素、過酸化水素、オゾンなどがある。これらは、有機物の基本骨格であるＣ−Ｃ結合（結合エネルギー約３４７ｋＪ／ｍｏｌ）や、Ｃ−Ｈ結合（結合エネルギー約４１５ｋＪ／ｍｏｌ）、あるいは、Ｃ＝Ｃ結合のπ結合（結合エネルギー約２８５ｋＪ／ｍｏｌ）などの結合を酸化反応によって切断することが知られている。
【００５３】
この結合を切断するためには、結合エネルギーよりも高い解離エネルギーが必要となる。例えば、強い活性酸素種であるヒドロキシルラジカルの酸化電位はおよそ２．８Ｖであり、解離エネルギーは約５０４ｋＪ／ｍｏｌであるため、Ｃ−Ｃ結合を切断して酸化分解することができる。このような酸化剤は、エネルギーが大きいため、反面、不安定で寿命が極めて短い（約１ミリ秒以下）という性質がある。
【００５４】
一方、過酸化水素の場合、酸化電位は１．７７Ｖであり、解離エネルギーは３１９ｋＪ／ｍｏｌである。この場合、Ｃ−Ｃ結合を切断するエネルギーよりも低いため切断できないが、Ｃ＝Ｃ二重結合のπ結合を切断することができる。また、たんぱく質や酵素などの比較的分子量の大きい有機物の場合、元来の機能を果たすためには立体的な高次構造が重要であるが、過酸化水素などの活性物質は強い酸化力によってそれらの高次構造を変性させ、元来の機能を失わせることができ、除菌作用や抗ウイルス作用を得ることができる。そして、過酸化水素は酸化電位が低い分、ヒドロキシルラジカルに比べて安定性が増すため、寿命が長くなる（約１時間以上）という性質がある。気相や液相などの離れた位置に活性物質を作用させる場合には、このような物質が適している。
【００５５】
また、ハロゲン酸化物には、塩素酸化物（例えば、次亜塩素酸、亜塩素酸、過塩素酸、二酸化塩素など）や臭素酸化物（例えば、臭素酸、次亜臭素酸、過臭素酸など）、ヨウ素酸化物（例えば、ヨウ素酸、過ヨウ素酸など）などが使用できる。これらは酸化力を有しており、例えば、次亜塩素酸の酸化電位は１．５Ｖであり、解離エネルギーは約２６８ｋＪ／ｍｏｌである。Ｃ−Ｃ結合の切断エネルギーよりも低いが、水素結合やファンデルワールス結合を切断し、たんぱく質や酵素などの比較的分子量の大きい有機物の高次構造を変性させ、元来の機能を失わせることができ、除菌作用や抗カビ作用や抗ウイルス作用を得ることができる。また、染料などの光吸収構造に影響を与え、脱色作用を得ることができる。
【００５６】
これらの活性物質は、臭気物質やＶＯＣなどの環境化学物質や、細菌、真菌、あるいは原生動物などの微生物、染料などの着色物質と反応し、これらの全部、または一部を酸化することによって、脱臭、抗カビ、抗ウイルス、脱色あるいは抗菌などの作用を発現する。
【００５７】
本発明において「抗菌」とは、気相の菌を殺菌及び／又は分解することをいい、好適には気相の菌濃度の低減及び／又は菌の増殖を抑制することをいう。具体的には、活性物質と菌が２４時間以上接触した場合に、接触した菌濃度を初期濃度よりも２桁以上減少できることをいう。本発明において、抗菌活性の対象は特に制限されず、例えば、細菌、カビ、ウイルス等が挙げられ、抗菌活性の点からは、細菌が好ましい。細菌としては、例えば、大腸菌、黄色ぶどう球菌、緑膿菌、ＭＲＳＡ、セレウス菌、肺炎桿菌が挙げられる。
【００５８】
本発明においては、発生する活性物質の種類は、含有するオキソ酸およびハロゲンの種類と量によって選択的に発生させることができる。例えば、オキソ酸としてリン酸塩を使用した場合、活性物質として過酸化水素を発生させることを確認している。また、ハロゲンとして、フッ素および塩素を使用した場合、次亜塩素酸を発生させることを確認している。なお、ハロゲンの含有状態は一様ではなく、ハロゲンが酸化チタンと化学結合していると活性酸素の活性物質の発生量を向上させることができ、結合していないハロゲンの一部は、塩素酸系活性物質のような抗菌性の高い活性物質に変化して放出されるものと思われる。ハロゲンの含有状態や比率は、発生させたい目的物質によって制御すればよい。尚、オキソ酸を含有させず、ハロゲンから生じるハロゲンオキソ酸にて同様の効果を得ることは、ハロゲンオキソ酸の発生量が少ないため好ましくない。
【００５９】
光触媒は、基材に担持することで、光の照射や、光触媒の飛散防止を効果的に行うことができる。基材に担持する場合には、先にハロゲン含有酸化チタンを作製し、基材に担持したのち、オキソ酸および追加のハロゲンを添着させて作製する。基材としては、特に限定されないが、一般的なフィルタ基材を使用でき、金属、プラスチック、合成樹脂繊維、天然繊維、木材、紙、ガラス、セラミックなどが挙げられ、好ましくは金属やセラミックやガラスである。また、プラスチックや紙を基材として用いる場合は、基材表面にシリコーンやフッ素樹脂、シリカなどを被覆して酸化チタンを担持してもよい。
【００６０】
基材の形状は特に限定されないが、板状、網状、ハニカム状、繊維状、ビーズ状、スリット状、発泡体形状、フィルタ状などが使用でき、多孔体にすると光の照射と空気の接触を効率的に行なうことができる。板状のフィルタであれば、板に孔を空けたパンチング形状、繊維を編みこんだ編物形状、繊維を接着した不織布形状など、開口を備えたものが好適である。板状であれば、板をプリーツ状に折ってフィルタの表面積を広げることによって圧力損失を低減させてもよい。
【００６１】
光触媒を基材に固定化するためにバインダーを使用する場合、Ｎａ２Ｏ、Ｋ２Ｏ、ＬｉＯ２などのケイ酸塩からなるアルカリシリケート、シリカゾル、アルミナゾル、ジルコニアゾルなどの無機コロイド、シリカ、ケイ素、チタンなどのアルコキシド類とその加水分解物などが挙げられる。なお、Ｎａなどのアルカリ成分は酸化チタン（ＩＶ）の結晶性を低下させ、性能を低下させることがあるため、バインダーとしては、主成分がＳｉＯ２であることがのぞましく、シリカゾルまたはシリカアルコキシド類の加水分解物などが好適である。
【００６２】
ケイ素のアルコキシド類としては、テトラエトキシシランおよびその重合体であるメトキシポリシロキサン、エトキシポリシロキサン、ブトキシポリシロキサン、リチウムシリケートなどが挙げられ、チタンのアルコキシド類としては、テトラプロポキシチタンおよびその重合体などが挙げられる。これらの金属アルコキシド類は、水と酸によって加水分解され、バインダーとして用いることができる。
【００６３】
バインダーは酸性であることが好ましく、ケイ素、チタンなどを酸で加水分解した物や酸性のシリカゾル、アルミナゾルなどが挙げられる。ケイ素、チタンなどを酸で加水分解する場合には、塩酸、硫酸などを用いてｐＨを１〜５に調整するとよい。シリカゾルを用いる場合には、ｐＨ２〜４、粒子径１０〜５０ｎｍ程度のものが好適である。ｐＨが中性あるいはアルカリ性のシリカゾルを用いると、ハロゲンを含有する酸化チタンを添加した際にゲル化をおこし、基材に均一に担持することが困難になることが多い。
【００６４】
Ｎａ、Ｋ、ＮＨ４などの陽イオン成分がバインダーに含まれていると、ハロゲンとの反応の進行および酸化チタン（ＩＶ）表面への吸着により、抗菌性能の低下が発生することがあり、上記陽イオン成分は極力少ないほうがよい。例えば、バインダー溶液にＮａが含まれている場合には、Ｎａ濃度がＮａ２Ｏとして０ｗｔ％より大きく０．０５ｗｔ％以下であることが好ましい。
【００６５】
基材に光触媒を担持する方法としては、ディップコート、スプレーなどが挙げられるが、基材に光触媒が固定化できればいかなる手段でもよい。１回の処理で担持量が十分でなければ、複数回の処理工程を繰り返してもよい。また、担持後に、乾燥機で５０〜７００℃程度の温度で０．０１〜５時間程度加熱することによりバインダーを収縮させて基材に強固に固定化してもよく、９０〜１５０℃で０．１時間の加熱がさらに好適である。このような加熱乾燥処理を行う場合には、基材の主成分をガラス、セラミックスで構成することが望ましい。
【００６６】
ハロゲン含有酸化チタンに、オキソ酸および追加のハロゲンを添着するときは、第一の工程で作製したハロゲン含有酸化チタンに、オキソ酸や、前記ハロゲンとは異なる種類のハロゲンを含む水溶液に接触させて作製することができる。オキソ酸としては、特に限定されないが、一般的なオキソ酸化合物を使用することができる。例えば、オキソ酸がリン酸化合物である場合、リン酸亜鉛、リン酸アルミニウム、リン酸カリウム、リン酸カルシウム、リン酸銀（Ｉ）、リン酸クロム（ＩＩＩ）、リン酸コバルト、リン酸第二鉄、リン酸チタン、リン酸鉄（ＩＩＩ）、リン酸銅（ＩＩ）、リン酸鉛（ＩＩ）、リン酸マグネシウム、リン酸二水素アンモニウム、リン酸二水素カリウム、リン酸一水素ナトリウム、リン酸二水素ナトリウム、リン酸二水素リチウム、リン酸三アンモニウム、リン酸三カリウム、リン酸三カルシウム、リン酸三ナトリウム、リン酸三リチウム、リン酸水素アンモニウムナトリウム、リン酸水素カルシウム、リン酸水素マグネシウム、リン酸水素二アンモニウム、リン酸水素二カリウム、リン酸水素二ナトリウム、ポリリン酸、ポリリン酸アンモニウム、ポリリン酸カリウム、ポリリン酸ナトリウム、メタリン酸、メタリン酸アルミニウム、メタリン酸カリウム、メタリン酸ナトリウム、ヘキサメタリン酸ナトリウム、アデノシン三リン酸、アデノシン二リン酸、核酸化合物等が挙げられる。
【００６７】
また、オキソ酸が炭酸化合物である場合、炭酸アンモニウム、炭酸カリウム、炭酸カルシウム、炭酸ナトリウム、炭酸鉛、炭酸バリウム、炭酸マンガン、炭酸リチウム、炭酸マグネシウム、炭酸水素アンモニウム、炭酸水素カリウム、炭酸水素カルシウム、炭酸ストロンチウム、炭酸セシウム、炭酸セリウム、炭酸鉄、炭酸銅などが挙げられる。
【００６８】
また、オキソ酸が硫酸化合物である場合、硫酸、硫酸亜鉛、硫酸アルミニウム、硫酸アンモニウム、硫酸カリウム、硫酸カルシウム、硫酸水素アンモニウム、硫酸水素カリウム、硫酸水素ナトリウム、硫酸すず（ＩＩ）、硫酸ストロンチウム、硫酸セシウム、硫酸第一鉄、硫酸第一マンガン、硫酸第二クロム、硫酸第二鉄、硫酸チタン、硫酸銅（ＩＩ）、硫酸ナトリウム、硫酸マグネシウム、硫酸マンガン、硫酸リチウムなどが挙げられる。
【００６９】
また、オキソ酸が硝酸化合物である場合、硝酸、硝酸亜鉛、硝酸アンモニウム、硝酸カリウム、硝酸クロム（ＩＩＩ）、硝酸コバルト（ＩＩ）、硝酸セシウム、硝酸鉄（ＩＩ）、硝酸銅（ＩＩ）、硝酸ニッケル、硝酸バリウム、硝酸マグネシウム、硝酸マンガン、硝酸リチウムなどが挙げられる。
【００７０】
また、オキソ酸がホウ酸化合物である場合、ホウ酸、ホウ酸亜鉛、ホウ酸アンモニウム、ホウ酸カリウム、ホウ酸カルシウム、ホウ酸バリウム、ホウ酸マグネシウム、ホウ酸マンガン（ＩＩ）などが挙げられる。
【００７１】
オキソ酸は、適当な溶媒に溶解可能な濃度を混合して添着に使用する。例えば、精製水などに０．０１重量％から１０重量％程度の濃度になるように溶解して使用する。
【００７２】
光触媒にオキソ酸を添着する方法としては、ディップコート、スプレーなどが挙げられる。光触媒として酸化チタンを用いる場合、酸化チタンをオキソ酸溶液に接触させた後、粉末であれば遠心分離やろ過、また、基材に固定化した状態であれば、引き上げたのち、１００℃以下の低温で乾燥させて液体の残留を無くす。このようにして添着されたオキソ酸およびハロゲンは、酸化チタンと化学結合するのではなく、酸化チタンの細孔や、表面にランダムに吸着している状態にあると推測される。
【００７３】
また、溶液には、化学結合させるハロゲンとは異なる種類のハロゲン化合物を混合して、同時に添着させることができる。このときのハロゲンは、例えば、塩素化合物においては、塩化ナトリウム、塩化カリウム、塩化マグネシウムなどの塩化物が挙げられる。また、ヨウ素化合物においては、ヨウ化カリウムなどが挙げられる。また、臭素化合物においては、臭化カリウム、臭化カルシウム、臭化アンモニウム、臭化ナトリウムなどの臭化物が挙げられる。これらも、オキソ酸の溶液に溶解可能な量を混合し、溶解させて使用する。例えば、０．０１重量％から１０重量％程度の濃度になるように溶解し、使用することができる。
【００７４】
光源として、ブラックライト、殺菌灯あるいは冷陰極管などの直管型の光源を使用する場合、光触媒は、光源を取り囲むように配置すると、光源からの光を効率よく光触媒に照射することができる。また、光源を取り囲む光触媒の厚みを厚くし、光が透過することを防ぐ構造にすると、周辺の部材が紫外線などの光によって劣化することを防止することができる。また、光触媒の周囲には、表面を金属あるいはガラスで形成させた反射板を使用することで、光源からの光を反射板が反射して、効率的に光触媒の表面に光を照射できる。
【００７５】
本体を構成する通風路と、浄化手段と、送風手段の少なくとも一部は、活性物質に対して不活性な材質から構成されることが望ましい。これによって、本体と、浄化手段と、送風手段が活性物質で劣化することがなく、信頼性の高い空気清浄機を得ることができる。活性物質に対して不活性な材質としては、ステンレス、アルミニウムなどの金属、ガラス、アルミナ、マイカなどが利用できる。劣化の影響が少ない範囲であれば、樹脂を用いてもよい。また、金属の表面を光触媒でコーティングするなど、通風路自体を光触媒で形成してもよい。
【００７６】
送風手段としては、送風機、ファン、ポンプなどを用いることができる。ファンを使用することで、風量、風速などが簡便に設定することができる。さらに、風の向きをかえるルーバーを用いてもよい。
【００７７】
集塵フィルタとしては、空気中のほこりや菌・カビなどを捕集することができれば特に問題はなく、網、繊維の編物・織物、不織布、ガラス繊維など一般的なフィルタ素材を利用することができる。
【００７８】
また、脱臭フィルタとしては、空気中の臭気物質を吸着できるものであれば特に問題はなく、活性炭、ゼオライト、シリカゲル、セピオライトなどの吸着剤を繊維や紙に固定化したものを使用することができる。活性物質に対して、劣化しにくいものが好ましい。
【００７９】
（実施の形態２）
図２に示すように、本発明の空気清浄装置は、吸込み口１と吹出し口２を有した本体３内に、光を照射する光源４としての発光ダイオードと、少なくともオキソ酸と光触媒を含有し、光を照射することによって活性物質を放出する活性物質発生材５と、空気の浄化手段としての集塵フィルタ６と脱臭フィルタ７と、送風手段としてのファン８とを備えている。少なくともオキソ酸と光触媒を含む活性物質発生材５と、脱臭用の吸着剤としてのゼオライトは、空気を通過できるように開口部を備えた基材上に保持され、一体となっている。ここで、一体化された活性物質発生材５と吸着剤は、光源４としての発光ダイオードからの距離が近い位置ほど活性物質発生材５の配合割合が高くなるように混合して、基材に保持されている。
【００８０】
このような構成によれば、活性物質発生材５から発生した活性物質を含む空気は、浄化手段としての集塵フィルタ６あるいは脱臭フィルタ７を通過し、前記浄化手段に付着あるいは吸着した雑菌、カビ、ウイルス、アレルゲン、臭気成分、有機物などと反応し、分解あるいは活性を低下させるという効果を得ることができる。活性物質発生材５は、光源４としての発光ダイオードからの距離が近い位置ほど配合割合が高くなっているので、より多くの活性物質を発生させることができる。また、活性物質発生材５と吸着剤が混合されているので、より短時間で吸着剤に吸着された臭気成分と活性物質を反応させることができる。
【００８１】
本体３の上部には、光透過性部材９としてのガラスと、前記光透過性部材９としてのガラスの内面にコーティングされた活性物質発生材５’の薄膜とから構成される通風路としてのバイパス通風路１０が備えられている。光透過性部材９としてのガラスを透過した室内光は、活性物質発生材５’に照射され、活性物質を放出するとともに、送風手段としてのファン８の作用によって本体３の吹出し口２から室内に放出される。空気清浄装置の本体３から室内に放出された活性物質は、空気中あるいは壁面に付着した雑菌、カビ、ウイルス、アレルゲン、臭気成分、有機物などと反応し、分解あるいは活性を低下させるという効果を得ることができる。
【００８２】
（実施の形態３）
図３に示すように、本発明の空気清浄装置は、吸込み口１と吹出し口２を有した本体３内に、光を照射する光源４としての発光ダイオードと、少なくともオキソ酸と光触媒を含有し、光を照射することによって活性物質を放出する活性物質発生材５と、空気の浄化手段としての集塵フィルタ６と脱臭フィルタ７と、送風手段としてのファン８とを備えている。
【００８３】
活性物質発生材５は、光透過性部材９としてのフッ素樹脂フィルムの表面に保持されており、図示しない蛍光灯などの室内からの光と、光源４としての発光ダイオードからの光を表裏面から受光し、大量の活性物質を発生させることができる。バイパス通風路１０には、バイパス通風路１０を開閉するダンパ１１が備えられている。ダンパ１１を開閉してバイパス通風路１０の送風量を切り替えることにより、活性物質を含む空気は任意の量で、集塵フィルタ６および脱臭フィルタ７に供給することが可能である。
【００８４】
発生した活性物質を含む空気は、ファン８によって浄化手段としての集塵フィルタ６あるいは脱臭フィルタ７を通過し、前記浄化手段に付着あるいは吸着した雑菌、カビ、ウイルス、アレルゲン、臭気成分、有機物などと反応し、分解あるいは活性を低下させるという効果を得ることができる。また、室内に放出され、空気中あるいは壁面に付着した雑菌、カビ、ウイルス、アレルゲン、臭気成分、有機物などと反応し、分解・抗菌あるいは活性を低下させるという効果を得ることができる。
【００８５】
（実施の形態４）
図４に示すように、本発明の空気清浄装置は、吸込み口２１と吹出し口２２を有した本体２３内に、光を照射する光源２４としてのブラックライトと、少なくともオキソ酸と光触媒を含有し、光を照射することによって活性物質を放出する活性物質発生材２５と、空気を加湿し活性物質発生材に水分を供給する加湿手段としての加湿フィルタ２６と、加湿手段を加熱するための加熱手段としてのヒーター２７と、送風手段としてのファン２８とを備えている。
【００８６】
活性物質発生材２５は、活性物質発生材２５を加熱する加熱手段としての伝熱板２９の表面に固定化されており、前記伝熱板２９はヒーター２７の熱を利用して発熱し、活性物質発生材２５の温度を上昇させることができる。
【００８７】
加湿フィルタ２６は、水供給手段としての水槽３０から水３１を供給されことによって湿潤し、湿潤した加湿フィルタ２６を空気が通過することによって、活性物質発生材２５に水分を供給することができる。活性物質発生材２５を伝熱板２９によって適切な温度に制御し、水分を供給しながら、光源２４からの光を照射することによって、活性物質発生材２５から、活性物質を発生させることができる。
【００８８】
また、光源２４から発生した光を反射板３２で反射することによって、より効率的に活性物質を発生させることができるものである。発生した活性物質を含む空気は、ファン２８によって室内に放出され、空気中あるいは壁面に付着した雑菌、カビ、ウイルス、アレルゲン、臭気成分、有機物などと反応し、分解・抗菌あるいは活性を低下させるという効果を得ることができる。
【００８９】
空気を加湿し活性物質発生材に水分を供給する加湿手段としては、空気中に水蒸気を多く含有させることができるものが好ましい。例えば、図４に示す加湿フィルタに水分を付着させて通気するもの以外に、ノズルから圧力を加えた微細水滴を噴霧するもの、あるいは、水槽を設けて超音波振動子で水を微細化させる方法などが用いられるが、空気中に水蒸気を多く含有させることができるものであれば、この限りでない。光触媒反応には、空気中の水分の吸着が不可欠であるが、湿度が極端に低い場合、光触媒反応が起こりにくくなるということがある。そのため、光触媒に供給する空気の前段に加湿手段を設けて、水分を供給してやることにより、光触媒反応を安定して行い、活性物質を安定して発生させることができる。
【００９０】
また、光触媒に供給する空気を加熱するための加熱手段としてヒーターを設けてもよい。光触媒反応は、温度が高くなると活性が高まり、活性物質の発生量が多くなることが知られている。活性物質発生材２５を加熱する加熱手段としては、電気や温水などの量によって温度を制御できるものがよく、例えば、ニクロム線、ＰＴＣヒーター、赤外線ランプ、冷凍サイクル、温水コイル、あるいは廃熱を回収したコイル、伝熱板などが使用できる。加熱する温度としては、水が完全に気化する１００℃を超えない範囲であることがよく、１０℃以上１００℃以下であることがよく、好ましくは２０℃以上８０℃以下であり、更に好ましくは４０℃以上６０℃以下である。光源として発光ダイオードを用いる場合には、熱によって素子の劣化が始まり寿命が短くなるため、８０℃以下の温度で使用することが好ましい。
【００９１】
また、活性物質発生材を加熱する加熱手段としては、加熱手段を適切な温度に加熱できればよく、ニクロム線、ＰＴＣヒーター、赤外線ランプ、冷凍サイクル、温水コイル、あるいは廃熱を回収したコイル、伝熱板などが使用できる。加熱された空気を活性物質発生材に吹き付けてもよい。
【００９２】
反射板３２としては、光を反射する材料であれば特に限定はなく、アルミニウム、ガラス、ステンレスなどを利用することができる。図４ではランプの側面に反射板を配置したが、反射板を複数あるいは、活性物質発生材が固定化されている通風路付近の全体を光反射作用のある材料で構成してもよい。
【実施例】
【００９３】
以下、本発明を実施例にて詳細に説明するが、本発明は、以下の記載に何ら限定して解釈されるものではない。
【００９４】
（実施例１）
＜１＞．ハロゲン含有酸化チタンの調整
光触媒としての酸化チタン（商品名：ＳＳＰ−２５、堺化学工業株式会社製、アナタース型、粒径：５〜１０ｎｍ、比表面積：２７０ｍ２／ｇ以上）の濃度が１５０ｇ／Ｌとなるように、酸化チタンに純水を加え、これを撹拌して、酸化チタン分散液を調製した。この酸化チタン分散液に、酸化チタンに対してフッ素（元素）に換算して３重量％に相当するフッ化水素酸（和光純薬社製、特級）を添加し、ｐＨ３に保持しながら２５℃で６０分間反応させた。得られた反応物を水洗した。水洗は、反応物を濾過して回収される濾液の電気伝導度が１ｍＳ／ｃｍ以下となるまで行った。そして、これを空気中において１３０℃で５時間乾燥させてフッ素含有酸化チタンを調製した。
【００９５】
＜２＞．ハロゲン含有酸化チタンを担持したガラス繊維織物の作製
得られたハロゲン含有酸化チタンとシリカ系のバインダー（Ｎａ成分がＮａ２Ｏ濃度として０．０５ｗｔ％以下、ｐＨ＝３、ＳｉＯ２濃度２０ｗｔ％のシリカゾル）と精製水を混合し、ボールミルで２４時間分散混合してスラリーを作成した。出来上がったスラリーに、基材として開口率１５％のガラス繊維織物をディップしてハロゲン含有酸化チタンを含浸させ、エアブローして余剰液を排除した後、１２０℃の乾燥機で３０分乾燥させ、ハロゲン含有酸化チタンを含むガラス繊維織物を作成した。同様のディップ作業を繰り返し、ハロゲン含有酸化チタンとバインダーを合わせた担持量を５００ｇ／ｍ２にした。ガラス繊維織物は、目付け量３５４ｇ／ｍ２、糸の密度１１×３本／２５ｍｍ（タテ・ヨコ同じ）の模紗織、厚さは０．４２ｍｍのものを用いた。ガラス繊維織物の開口率は約１５％であった。
【００９６】
＜３＞．オキソ酸およびハロゲン含有酸化チタンを含む活性物質発生材の作製
得られたハロゲン含有酸化チタンを、オキソ酸およびハロゲンの供給源である５０ｍＭリン酸緩衝生理食塩水に含浸したのち、引き上げ、５０℃の乾燥炉にて２時間静置して乾燥させ、オキソ酸およびハロゲン含有酸化チタンを含む活性物質発生材とした。
【００９７】
＜４＞．活性物質の発生量の測定
作製した活性物質発生材を、長さ３０ｃｍ、幅１ｃｍの短冊状に裁断し、直径３ｃｍの石英製のガラス管に挿入した。ガラス管の両端は、ガスの漏洩のないように密閉しながら配管を配置し、上流側より空気（温度約２５℃、相対湿度約５０℃）を０．５Ｌ／ｍｉｎの流量で送気した。下流側には、ガラス製のガス採取管（インピンジャー）を接続し、内部に捕集液である蒸留水を２０ｍｌ入れた。石英管を挟むようにブラックライトを５ｍＷ／ｃｍ２となるように照射し、２４時間ガスを流通させて、活性物質発生材から発生する活性物質を回収した。ガラス管の端面からガス採取容器までの距離は４００ｍｍとした。
【００９８】
２４時間後、ガス捕集管の内部に残存していた蒸留水を回収し、活性物質である過酸化水素および次亜塩素酸の定量を行った。過酸化水素の測定は、過酸化水素定量用発色基質（商品名：Ｈ２Ｏ２  ＤｅｔｅｃｔｉｏｎＫｉｔ  Ｃｏｌｏｒｉｍｅｔｒｉｃ、ＡｓｓａｙＤｅｓｉｇｎｓ社製）を使用し、５８２ｎｍの発色を紫外可視吸光度計にて測定した。その結果を図５に示す。また、次亜塩素酸の測定は、ＤＰＤ法による遊離塩素測定試薬（ＨＡＣＨ社製）を使用し、直読水質分析計で有効塩素濃度を測定した。その結果を図６に示す。
【００９９】
（実施例２）
実施例２として、ハロゲン含有酸化チタンに替えて、ハロゲンを含まず光触媒活性を有するアナタース型酸化チタン（商品名：ＳＳＰ−２５、堺化学工業株式会社製）を使用した以外は実施例１と同様にして、オキソ酸および酸化チタンを含む活性物質発生材を作成し、活性物質の発生量の測定を行った。その結果を図５および図６に示す。
【０１００】
（比較例１）
比較例１として、リン酸緩衝生理食塩水に含浸する工程を省略し、ハロゲン含有酸化チタンのみを含むガラス繊維織物を使用し、実施例１と同様にして、活性物質の発生量の測定を行った。その結果を図５および図６に示す。
【０１０１】
（比較例２）
比較例２として、実施例１と同様の方法において、ブラックライトによる紫外線の照射を行わずに、暗所にて活性物質の発生量の測定を行った。その結果を図５および図６に示す。
【０１０２】
また、実施例１、２および比較例１、２の条件について一覧を表１に示す。
【０１０３】
【表１】
0005845385.tif 000002
【０１０４】
図５に示すように、実施例１の活性物質発生材は、２４時間後に約１５３ｎｍｏｌの過酸化水素が検出された。実施例２の活性物質発生材は、０．１４ｎｍｏｌの過酸化水素が検出された。一方、比較例１、および比較例２のガラス繊維織物では検出下限以下（０．１ｎｍｏｌ未満）であった。オキソ酸と光触媒を含有するものでは、光照射をすることによって、活性物質である過酸化水素が活性物質発生材から放出されていることが確認された。また、ハロゲン含有酸化チタンを用いることにより、その発生量は１０００倍以上に増大することが確認された。
【０１０５】
一方、図６に示すように、活性物質としての有効塩素である次亜塩素酸が、実施例１の活性物質発生材より２３．６μｇ／ｍ３検出された。また、実施例２では１．３μｇ／ｍ３検出された。また、比較例１、比較例２では検出下限以下（０．１μｇ／ｍ３以下）であった。過酸化水素と同様に、オキソ酸と光触媒を含有するものでは、光照射によって、次亜塩素酸が放出されていることが確認された。また、ハロゲン含有酸化チタンを用いることにより、約２０倍発生量が増加することが確認された。
【０１０６】
（実施例３）
実施例１と同様にして作製した、オキソ酸およびハロゲン含有酸化チタンを含む活性物質発生材を、励起光源である紫外線発光ダイオード（中心波長約３７０ｎｍ）および回路と、活性物質のトラップ用の蒸留水２０ｍＬを入れたシャーレとともに６．７Ｌの樹脂製ボックスに封入した。発光ダイオードによって、酸化チタンフィルタに、約０．８５ｍＷ／ｃｍ２となるように紫外線を照射した。同様に作製したボックスを１５℃、３０℃、４０℃に静置し、１５時間後、蒸留水を取り出して、溶解している過酸化水素と有効塩素酸濃度を測定した。測定は、実施例１と同様な方法で行った。
【０１０７】
その結果を図７および図８に示す。蒸留水中にトラップされた過酸化水素の濃度は、１５℃では０．０５μＭと比較的低いが、３０℃になると０．１８μＭとなり３倍に増加した。更に４０℃になると、０．７５μＭとなって１５℃と比べて１５倍に増加した。一方、有効塩素である次亜塩素酸の濃度も、温度が上昇するのにつれて増加する傾向を示した。発生する活性物質の種類によって好適な温度が若干差が見られる可能性があるが、温度を高めることによって、活性物質の発生量が増加することが明らかとなった。
【０１０８】
（実施例４）
実施例１と同様にして作製した、オキソ酸およびハロゲン含有酸化チタンを含む活性物質発生材を使用し、上流側より乾燥空気（温度約２５℃、相対湿度０％）を供給した以外は実施例１と同様の手順で、活性物質発生量の測定を行った。湿度０％の空気中では２４時間後でも過酸化水素の発生量は検出限界以下（０．１ｎｍｏｌ未満）であった。実施例１の試験より、活性物質発生材は、湿度５０％の空気中では２４時間後に約１５３ｎｍｏｌの過酸化水素を発生できることがわかっており、活性物質の発生には水の存在が必要であることがわかった。
【産業上の利用可能性】
【０１０９】
本発明にかかる空気清浄装置は、安定で寿命が長く光触媒から気相などに放出することができる活性物質を発生させ、離れた場所にある雑菌や有機物などの被処理物と反応させることができる空気清浄装置の提供を可能とするものであるので、空気清浄機、加湿機、エアコン、空調機、掃除機などの用途として有用である。
【符号の説明】
【０１１０】
１      吸込み口
２      吹出し口
３      本体
４      光源
５      活性物質発生材
６      集塵フィルタ
７      脱臭フィルタ
８      ファン
９      光透過性部材
１０    バイパス通風路
１１    ダンパ
２１    吸込み口
２２    吹出し口
２３    本体
２４    光源
２５    活性物質発生材
２６    加湿フィルタ
２７    ヒーター
２８    ファン
２９    伝熱板
３０    水槽
３１    水
３２    反射板
１０１  吸着材
１０２  光触媒
１０３  ハニカム孔
１０４  光触媒励起源
２０１  光触媒
２０２  光ファイバ
２０３  紫外線
２０４  活性種
２０５  被処理物
【図１】
0005845385.tif 000003
【図２】
0005845385.tif 000004
【図３】
0005845385.tif 000005
【図４】
0005845385.tif 000006
【図５】
0005845385.tif 000007
【図６】
0005845385.tif 000008
【図７】
0005845385.tif 000009
【図８】
0005845385.tif 000010
【図９】
0005845385.tif 000011
【図１０】
0005845385.tif 000012